(57)【要約】【課題】扉の不慮の開きを防止できる扉用ラッチ装置を提供する。【解決手段】ラッチ９の没入動作をロック・アンロックするロック機構Ｌを備える。ロック機構Ｌは、一端にストッパー作用部２４を、他端に操作部２５を有するロックアーム部材２６よりなる。扉６に対しロックアーム部材２６は操作部２４を扉６の外部に配し、この操作部を持ってストッパー作用部２４をラッチ出没孔１１から突出した状態にあるラッチ９の他方の斜面板１５の抜止め兼用軸部１９の後方に近接ないし当接する没入阻止位置と、該没入阻止位置より離反する没入許容位置とにわたって変位できるように取り付けている。【選択図】図８
2008008061.tif 000002
【特許請求の範囲】
【請求項１】
受け座を取り付けた開口枠と、開口枠に開閉可能に取り付けた扉と、扉に取り付けられラッチ出没孔を有するフロントと、断面三角形状のラッチとを備えており、前記ラッチは、先端同士が鋭角で出会う二つの斜面板と、この二つの斜面板の両端にそれぞれ連設した三角形状の端面板と、各斜面板の後端に突設した抜止め兼用軸部と、前記二つの斜面板の後端同士間に該斜面板と直交状に架設されたばね支軸と、このばね支軸に円筒形部を挿通したねじりコイルばねとを有しており、前記ラッチは前記ラッチ出没孔に出没可能に且つ前記ラッチ出没孔の孔縁部の後方側に当接係合する前記抜止め兼用軸部を介して抜止め状に嵌合装着され、前記ねじりコイルばねの円筒形部の両端から前記ラッチの両端面板の各後方に向けて延出する腕の各端部は前記フロントの後方へ相対向状に突設した一対のばね受に係合されて前記ラッチが前記ねじりコイルばねで突出付勢されている扉用ラッチ装置において、
前記ラッチの没入動作を阻止・許容するロック機構を備えており、このロック機構は、一端にストッパー作用部を、他端に操作部を有するロックアーム部材よりなり、前記扉に対し前記ロックアーム部材が前記操作部を前記扉の外部に配し、この操作部を持って前記ストッパー作用部を前記ラッチ出没孔から突出した状態にあるラッチの後方に近接ないし当接する没入阻止位置と、該没入阻止位置より離反する没入許容位置とにわたって変位できるように取り付けられていることを特徴とする、扉用ラッチ装置。
【請求項２】
受け座を取り付けた開口枠と、開口枠に開閉可能に取り付けた扉と、扉に取り付けられラッチ出没孔を有するフロントと、断面三角形状のラッチとを備えており、前記ラッチは、先端同士が鋭角で出会う二つの斜面板と、この二つの斜面板の両端にそれぞれ連設した三角形状の端面板と、各斜面板の後端に突設した抜止め兼用軸部と、前記二つの斜面板の後端同士間に該斜面板と直交状に架設されたばね支軸と、このばね支軸に円筒形部を挿通したねじりコイルばねとを有しており、前記ラッチは前記ラッチ出没孔に出没可能に且つ前記ラッチ出没孔の孔縁部の後方側に当接係合する前記抜止め兼用軸部を介して抜止め状に嵌合装着され、前記ねじりコイルばねの円筒形部の両端から前記ラッチの両端面板の各後方に向けて延出する腕の各端部は前記フロントの後方へ相対向状に突設した一対のばね受に係合されて前記ラッチが前記ねじりコイルばねで突出付勢され、前記ラッチの一方の斜面板が開扉に伴って前記受け座側に当接することにより前記ラッチが一方の斜面板の抜止め兼用軸部を回動中心にして回動してラッチ出没孔に没入し、ラッチの他方の斜面板が閉扉に伴って前記受け座側に当接することにより他方の斜面板の抜止め兼用軸部を回動中心にして前記回動方向と反対方向に回動してラッチ出没孔に没入するように構成している扉用ラッチ装置において、
前記ラッチの没入動作を阻止・許容するロック機構を備えており、このロック機構は、一端にストッパー作用部を、他端に操作部を有するロックアーム部材よりなり、前記扉に対し前記ロックアーム部材が前記操作部を扉の外部に配し、この操作部を持って前記ストッパー作用部を前記ラッチ出没孔から突出した状態にあるラッチの他方の斜面板の抜止め兼用軸部の後方に近接ないし当接する没入阻止位置と、該没入阻止位置より離反する没入許容位置とにわたって変位できるように取り付けられていることを特徴とする、扉用ラッチ装置。
【請求項３】
前記扉に対し前記ロックアーム部材が前記ストッパー作用部を前記ラッチ出没孔から突出した状態にあるラッチの他方の斜面板の抜止め兼用軸部の後方に近接ないし当接する没入阻止位置と、該没入阻止位置より離反する没入許容位置とにわたって変位できるように上下方向に昇降動自在に取り付けられ、前記ストッパー作用部が前記没入阻止位置にあるとき前記ロックアーム部材が下降終端位置にあり、前記ストッパー作用部が前記没入許容位置にあるとき前記ロックアーム部材が上昇終端位置にあるように設定している、請求項２記載の扉用ラッチ装置。
【請求項４】
前記ロックアーム部材が曲がり変形可能に形成されている、請求項２又は３に記載の扉用ラッチ装置。
【請求項５】
前記ロックアーム部材が脆弱部を有している、請求項２又は３に記載の扉用ラッチ装置。
【請求項６】
前記ロックアーム部材が縦溝を有する固定台の前記縦溝にスライド自在に該固定台に一体的に組み込まれ、該固定台が前記扉に脱着可能に取り付けられている、請求項２ないし５のいずれか１項に記載の扉用ラッチ装置。
【請求項７】
前記ロックアーム部材がストッパー作用部を前記没入阻止位置に位置する状態において前記操作部が剥離可能なシールで覆われている、請求項２ないし６のいずれか１項に記載の扉用ラッチ装置。
【請求項８】
請求項１又は２記載の扉用ラッチ装置を、格納箱本体の開口枠に開閉可能に取り付けた扉に備えていることを特徴とする、消火器格納箱。
【発明の詳細な説明】
【技術分野】
【０００１】
本発明は、扉用ラッチ装置、これを備えた消火器格納箱に関する。
【背景技術】
【０００２】
従来、消火器格納箱の扉用ラッチ装置として、たとえば、図９〜図１５に示すようなものが知られている。図９は消火器格納箱の正面図、図１０は扉用ラッチ装置の平面図、図１１は同扉用ラッチ装置の正面図、図１２は同扉用ラッチ装置の側面図、図１３は同扉用ラッチ装置の背面図、図１４は図１１におけるＣ−Ｃ線断面図、図１５は同扉用ラッチ装置のラッチの斜面図である。
図９に示すように、消火器格納箱２の格納箱本体３の開口枠４３に扉６が蝶番５で開閉可能に取り付けられ、この扉６に扉用ラッチ装置２９を備え付ける。図１０〜図１５において、扉用ラッチ装置２９は、扉６の、取手７の取り付けられる側に取り付けられ、ラッチ出没孔３０を有するフロント３１と、板金製の断面三角形状のラッチ３２とを備える。開口枠４３側にはラッチ３２に対応すべく受け座４４を取り付けている。
各図において、ラッチ３２は先端同士が鋭角で出会う二つの斜面板３３，３４と、斜面板３３，３４の上端同士及び下端同士にそれぞれ連設した三角形状の端面板３５，３６と、各斜面板３３，３４の後端の上下に突設した抜止め兼用軸部３７，３８とを備え、斜面板３３，３４の後端同士間にはばね支軸３９を斜面板３３，３４と直交状に架設し、このばね支軸３９にねじりコイルばね４０の円筒形部４０ａを挿通している。かくして、ラッチ３２はフロント３１のラッチ出没孔３０に出没可能に且つラッチ出没孔３０の孔縁部の後方側に当接係合する抜止め兼用軸部３７，３８を介して抜止め状に嵌合装着され、ねじりコイルばね４０の円筒形部４０ａの両端からラッチ３２の両端面板３５，３６の各後方に向けて延出する腕４０ｂ，４０ｃの各端部はフロント３１の後方へ相対向状に突設した一対のばね受４１，４２に係合される。
【０００３】
しかるときは、ラッチ３２は、ねじりコイルばね４０で常に突出方向に付勢されていて、図１０、図１４に示すように、開口枠４３側に取り付けた受け座４４の凹部４５に係合し、これによって扉６は開口枠４３に対して閉じ状態に保持される。いま、扉６を図１０に示す矢印Ｄ方向に引いて開けるときは、ラッチ３２の一方の斜面板３３が受け座４４側に当接し、扉６の引込み力の分力でラッチ３２がねじりコイルばね４０のばね力に抗して一方の斜面板３３の抜止め兼用軸部３７，３７を回動中心軸にして回動することによりラッチ出没孔３０に没入し、これによって扉６の開きを可能にする。扉６を図１０に示す矢印Ｅ方向に押して閉めるときはラッチ３２の他方の斜面板３４が受け座４４側に当接し、扉６の押込み力の分力でラッチ３２が、一旦、他方の斜面板３４の抜止め兼用軸部３８，３９を回動中心軸にして前記回動方向とは反対方向に回動することによりラッチ出没孔３０に没入し、受け座４４の凹部４５に合致すると同時にラッチ出没孔３０から突出して該凹部４５に係合する。
【発明の開示】
【発明が解決しようとする課題】
【０００４】
しかしながら、ねじりコイルばね４０によりラッチを突出付勢するのみで扉６を閉じ状態に保持している上記扉用ラッチ装置２９では、マンションの屋上など屋外に消火器格納箱２が置かれているとき、振動や風圧等により不測に扉６が開いてしまうという問題があった。とくに、強風や台風時に不慮に扉６が開きやすかった。
【０００５】
本発明は、このような問題を解決するためになされたものであり、その目的とするところは、上記のような、出没自在な断面三角形のラッチを備え、ねじりコイルばねでラッチを突出方向に付勢するようにしてある扉用ラッチ装置において、ラッチの没入動作を阻止・許容する簡単且つ安価なロック機構を備えることにより扉の不慮の開きを防止できる扉用ラッチ装置、およびこれを備えた消火器格納箱を提供することにある。
【課題を解決するための手段】
【０００６】
本発明の扉用ラッチ装置は、請求項１に記載のように、発明の内容を理解しやすくするために図１〜図８に付した符号を参照して説明すると、受け座１０を取り付けた開口枠４と、開口枠４に開閉可能に取り付けた扉６と、扉６に取り付けられラッチ出没孔１１を有するフロント８と、断面三角形状のラッチ９とを備えており、ラッチ９は、先端同士が鋭角で出会う二つの斜面板１４，１５と、この二つの斜面板１４，１５の両端にそれぞれ連設した三角形状の端面板１６，１７と、各斜面板１４，１５の後端に突設した抜止め兼用軸部１８，１９と、斜面板１４，１５の後端同士間に斜面板１４，１５と直交状に架設されたばね支軸２１と、このばね支軸２１に円筒形部２０ａを挿通したねじりコイルばね２０とを有しており、ラッチ９はラッチ出没孔１１に出没可能に且つラッチ出没孔１１の孔縁部の後方側に当接係合する抜止め兼用軸部１８，１９を介して抜止め状に嵌合装着され、ねじりコイルばね２０の円筒形部２０ａの両端からラッチ９の両端面板１６，１７の各後方に向けて延出する腕２０ｂ、２０ｃの各端部はフロント８の後方へ相対向状に突設した一対のばね受１２，１３に係合されてラッチ９がねじりコイルばね２０で突出付勢されているラッチ装置において、ラッチ９の没入動作を阻止・許容するロック機構Ｌを備えており、ロック機構Ｌは、一端にストッパー作用部２４を、他端に操作部２５を有するロックアーム部材２６よりなり、扉６に対しロックアーム部材２６が操作部２５を扉６の外部に配し、この操作部２５を持ってストッパー作用部２４をラッチ出没孔１１から突出した状態にあるラッチ９の後方に近接ないし当接する没入阻止位置Ｍと、該没入阻止位置より離反する没入許容位置Ｎとにわたって変位できるように取り付けられていることに特徴を有するものである。
このようなロック機構Ｌを備えた構成によれば、閉扉状態においてロックアーム部材２６を没入阻止位置Ｍに変位させておくことでロックアーム部材２６のストッパー作用部２４によりラッチ９が出没孔１１に没入するのを阻止することができるため、振動や風圧等による扉６の不慮の開きを防止できる。操作部２５を持ってロックアーム部材２６を没入阻止位置Ｍから没入許容位置Ｎに変位させることにより扉６を人為的に開けることができる。
【０００７】
本発明の扉用ラッチ装置は、請求項２に記載のように、発明の内容を理解しやすくするために図１〜図８に付した符号を参照して説明すると、受け座１０を取り付けた開口枠４と、開口枠４に開閉可能に取り付けた扉６と、扉６に取り付けられラッチ出没孔１１を有するフロント８と、断面三角形状のラッチ９とを備えており、ラッチ９は、先端同士が鋭角で出会う二つの斜面板１４，１５と、この二つの斜面板の両端にそれぞれ連設した三角形状の端面板１６，１７と、各斜面板１４，１５の後端に突設した抜止め兼用軸部１８，１９と、前記二つの斜面板１４，１５の後端同士間に該斜面板と直交状に架設されたばね支軸２１と、このばね支軸に円筒形部２０ａを挿通したねじりコイルばね２０とを有しており、ラッチ９はラッチ出没孔１１に出没可能に且つラッチ出没孔１１の孔縁部の後方側に当接係合する前記抜止め兼用軸部１８，１９を介して抜止め状に嵌合装着され、ねじりコイルばね２０の円筒形部２０ａの両端からラッチ９の両端面板１６，１７の各後方に向けて延出する腕２０ｂ，２０ｃの各端部は前記フロント８の後方へ相対向状に突設した一対のばね受１２，１３に係合されてラッチ９がねじりコイルばね２０で突出付勢され、前記ラッチ９の一方の斜面板１４が開扉に伴って受け座１０側に当接することによりラッチ９が一方の斜面板１４の抜止め兼用軸部１８を回動中心にして回動してラッチ出没孔１１に没入し、ラッチ９の他方の斜面板１５が閉扉に伴って前記受け座１１側に当接することにより他方の斜面板１５の抜止め兼用軸部１９を回動中心にして前記回動方向と反対方向に回動してラッチ出没孔１１に没入するように構成している扉用ラッチ装置において、
前記ラッチ９の没入動作を阻止・許容するロック機構Ｌを備えており、ロック機構Ｌは、一端にストッパー作用部２４を、他端に操作部２５を有するロックアーム部材２６よりなり、扉６に対しロックアーム部材２６が操作部２５を扉６の外部に配し、この操作部２５を持ってストッパー作用部２４をラッチ出没孔１１から突出した状態にあるラッチ９の他方の斜面板１５の抜止め兼用軸部１９の後方に近接ないし当接する没入阻止位置Ｍと、該没入阻止位置より離反する没入許容位置Ｎとにわたって変位できるように取り付けられていることに特徴を有するものである。
【０００８】
このようなロック機構Ｌを備えた構成によれば、閉扉状態においてロックアーム部材２６を没入阻止位置Ｍに変位させておくことでロックアーム部材２６のストッパー作用部２４によりラッチ９が出没孔１１に没入するのを阻止することができるため、振動や風圧等による扉６の不慮の開きを防止できる。操作部２５を持ってロックアーム部材２６を没入阻止位置Ｍから没入許容位置Ｎに変位させることにより扉６を人為的に開けることができる。
また、ロック機構Ｌを備えているものの、そのロックアーム部材２６のストッパー作用部２４は常態時にラッチ９の他方の斜面板１５の抜止め兼用軸部１９の後方に近接ないし当接する没入阻止位置Ｍにあるので、いま、扉６が開いており、この扉６を閉めるに伴ってラッチ９の他方の斜面板１５が受け座１１側に当接することによりラッチ９が他方の斜面板１５の抜止め兼用軸部１９を回動中心に回動してラッチ出没孔１１に没入することが可能になり、閉扉を可能にする。
【０００９】
請求項２記載の扉用ラッチ装置は、請求項３に記載のように、扉６に対しロックアーム部材２６がストッパー作用部２４をラッチ出没孔１１から突出した状態にあるラッチ９の他方の斜面板１５の抜止め兼用軸部１９の後方に近接ないし当接する没入阻止位置Ｍと、該没入阻止位置より離反する没入許容位置Ｎとにわたって変位できるように上下方向に昇降動自在に取り付けられ、ストッパー作用部２４が没入阻止位置Ｍにあるときロックアーム部材２６が下降終端位置Ｐにあり、ストッパー作用部２４が没入許容位置Ｎにあるときロックアーム部材２６が上昇終端位置Ｑにあるように設定することができる。
このような構成によれば、上記構成の場合とは反対に、ストッパー作用部２４が没入阻止位置Ｍにあるときロックアーム部材２６が上昇終端位置Ｑにあり、ストッパー作用部２４が没入許容位置Ｎにあるときロックアーム部材２６が下降終端位置Ｐにあるものとした場合に生じる、振動や風圧等により不用意にロックアーム部材２６が下降終端位置Ｐ（没入許容位置Ｎ）に下降して没入阻止機能を失ってしまうという不具合な問題はなく、常態時にロックアーム部材２６を下降終端位置Ｐ（没入阻止位置Ｍ）に安定かつ確実に保持することができて不慮の扉開き防止に備えられるという利点がある。
【００１０】
請求項２又は３に記載の扉用ラッチ装置は、請求項４に記載のように、ロックアーム部材２６は曲がり変形可能に形成することができる。これによれば、扉６を開ける時にロックアーム部材２６を没入阻止位置Ｍから没入許容位置Ｎに変位させるという正規の手順を踏むことなく、扉６を開方向に無理やりに強く引くとラッチ９は受け座１０との当接作用およびロックアーム部材２６の曲がり変形を介して強制的に没入させることができるため、緊急時の開扉に備えられる。
【００１１】
請求項２又は３に記載の扉用ラッチ装置は、請求項５に記載のように、ロックアーム部材２６は脆弱部２６ａを有するものとすることができる。これによれば、扉６を開ける時にロックアーム部材２６を没入阻止位置Ｍから没入許容位置Ｎに変位させるという正規の手順を踏むことなく、扉６を開方向に無理やりに強く引くとラッチ９は受け座１０との当接作用およびロックアーム部材２６の脆弱部２６ａの破損を介してより確実に強制的に没入させることができるため、緊急時の開扉に備えられる。
【００１２】
請求項２ないし５のいずれか１項に記載の扉用ラッチ装置は、請求項６に記載のように、ロックアーム部材２６は縦溝２７ａを有する固定台２７の縦溝２７ａにスライド自在に該固定台２７に一体的に組み込み、該固定台２７を扉６に脱着可能に取り付けることができる。これによれば、上記のように緊急時に扉６を無理やりに引いて開けたときにロックアーム部材２６が変形、破損した場合も、このロックアーム部材２６と固定台２７を取り替えるだけで足り、扉６全体を取り替えるに比べて経済的である。
【００１３】
請求項２ないし６のいずれか１項に記載の扉用ラッチ装置は、請求項７に記載のように、ロックアーム部材２６はストッパー作用部２４を没入阻止位置Ｍに位置する状態において操作部２５を剥離可能なシール２８で覆うことができる。これによれば、操作部２５が他物と触れて不用意にロックアーム部材２６が変動するのを防止でき、ストッパー作用部２４が没入阻止位置Ｍに位置するラッチ没入阻止状態を確保できる。人為的にロックアーム部材２６を没入許容位置Ｎに変位させるときはシール２８を剥がせばよい。
【００１４】
本発明の消火器格納箱は、請求項８に記載のように、請求項１または２記載の扉用ラッチ装置を、格納箱本体３の開口枠４に開閉可能に取り付けた扉６に備えていることに特徴を有するものである。これによれば、消火器格納箱が屋外に置かれたときも、振動や風圧等により不測に扉６が開くのを防止できる。
【発明の効果】
【００１５】
本発明の扉用ラッチ装置およびこれを備えた消火器格納箱によれば、ロックアーム部材よりなる簡単かつ安価な構造のロック機構を備えることによりラッチの没入動作を阻止・許容することができ、ラッチの没入動作を阻止することにより振動や風圧などによる扉の不測な開きを防止できて有利である。
【発明を実施するための最良の形態】
【００１６】
本発明の好適な実施形態を図面に基づき説明する。図１は本発明の一実施例の扉用ラッチ装置を取り付けた消火器格納箱の正面図、図２は同扉用ラッチ装置を取り付けた扉の一部拡大正面図、図３は同扉用ラッチ装置の正面図、図４は同扉用ラッチ装置の背面図、図５は同扉用ラッチ装置の側面図、図６は同扉ラッチ装置のラッチの斜面図、図７は図３におけるＡ−Ａ線断面図、図８は図２におけるＢ−Ｂ線断面図である。
【００１７】
本発明に係る扉用ラッチ装置１は、例えば、図１〜図３に示すように、消火器格納箱２の格納箱本体３の開口枠４に蝶番Ｈで開閉可能に取り付けられた扉６に備え付ける。扉用ラッチ装置１は、扉６の、取手７の取り付けられる側に取り付けられるフロント８と、板金製の断面三角形状のラッチ９と、ラッチ９の没入動作を阻止・許容するロック機構Ｌとを備える。格納箱本体３の開口枠４側にはラッチ９に対応すべく受け座１０を取り付けている。
【００１８】
図７に示すように、フロント８は四角形のラッチ出没孔１１を開口し、ラッチ出没孔１１の上下に対向する一対の開口縁部からばね受１２，１３を後方へ相対向状に突設している。
図６に示すように、ラッチ９は、先端同士が鋭角で出会う二つの斜面板１４，１５と、この斜面板１４，１５の上端同士及び下端同士にそれぞれ連設した三角形状の端面板１６，１７と、各斜面板１４，１５の後端の上下に突設した抜止め兼用軸部１８，１９とを有する断面三角形状に形成している。図４、図５および図７に示すように、斜面板１４，１５の後端同士間には、ねじりコイルばね２０の円筒形部２０ａを挿通したばね支軸２１の両端が斜面板１４，１５の各後端の中央に設けた切欠１４ａ，１５ａに係合固定されることによって、ばね支軸２１が斜面板１４，１５と直交するように架設される。
【００１９】
かくして、図４、図７に示すように、ラッチ９は、フロント８のラッチ出没孔１１に出没可能に嵌合装着されるとともに、ねじりコイルばね２０の円筒形部２０ａの両端からラッチ９の両端面板１６，１７の各後方に向けて延出する腕２０ｂ，２０ｃの各端部がばね受１２，１３の各孔１２ａ，１３ａに挿通係合される。これによってラッチ９はねじりコイルばね２０の軸線回りに働くねじりモーメントを受けて常に突出方向に付勢される。この突出方向に付勢されるラッチ９は抜止め兼用軸部１８，１９がラッチ出没孔１１の上下の各孔縁部の後方側に当接係合することによりラッチ出没孔１１に対し抜止め状態に嵌合装着される。
【００２０】
図６、図７に示すように、ラッチ９の両端面板１６，１７の各後端には、該ラッチ９の突出状態でフロント８のラッチ出没孔１１より後方へ突出する長さにまで延びる延長端面板１６ａ，１７ａを一体に設けるとともに、該延長端面板１６ａ，１７ａの各中央付近に、ねじりコイルばね２０の腕２０ｂ，２０ｃとの干渉を避けるための切欠２２，２３を設けている。
【００２１】
上記のように構成された扉用ラッチ装置１において、本発明は、ラッチ９の没入動作を阻止・許容するロック機構Ｌを備えることに特徴を有する。
図２、図８に示すように、ロック機構Ｌは、一端にストッパー作用部２４を、他端に指で掴み易い形に形成された摘み等による操作部２５を有するロックアーム部材２６よりなり、扉６に対しロックアーム部材２６が操作部２５を扉６の外部に配し、この操作部２５を指先で持ってストッパー作用部２４をラッチ出没孔１１から突出した状態のラッチ９の他方の斜面板１５の抜止め兼用軸部１９の後方に近接ないし当接する没入阻止位置Ｍ（図２参照）と、該没入阻止位置Ｍより離反する没入許容位置Ｎ（図２参照）とにわたって変位できるように取り付けられる。
【００２２】
更に具体的には、図２、図８に示すように、ロックアーム部材２６は縦溝２７ａを有する固定台２７の縦溝２７ａに上下方向にスライド自在に一体的に組み込み、該固定台２７を扉６の取付孔６ａに脱着可能に取り付ける。図示例ではロックアーム部材２６は操作部２５側に鍔２６ｂを設け、この鍔２６ｂを固定台２７内に摺動可能に嵌め込むことにより固定台２７から抜け出ることのないように組み込まれる。
その際、扉６に対しロックアーム部材２６は、ストッパー作用部２４をラッチ出没孔１１から突出した状態のラッチ９の他方の斜面板１５の抜止め兼用軸部１９の後方に近接ないし当接する没入阻止位置Ｍと、該没入阻止位置Ｍより離反する没入許容位置Ｎとにわたって変位できるように固定台２７の縦溝２７ａに沿って上下方向に昇降動自在に取り付けられる。そして、図２に示すように、ストッパー作用部２４が没入阻止位置Ｍにあるときロックアーム部材２６が縦溝２７ａ内の下降終端位置Ｐにあり、ストッパー作用部２４が没入許容位置Ｎにあるときロックアーム部材２６が縦溝２７ａ内の上昇終端位置Ｑにあるように設定している。このように設定しておけば、上記構成の場合とは反対に、ストッパー作用部２４が没入阻止位置Ｍにあるときロックアーム部材２６が上昇終端位置Ｑにあり、ストッパー作用部２４が没入許容位置Ｎにあるときロックアーム部材２６が下降終端位置Ｐにあるものとした場合に生じる、振動や風圧等により不用意にロックアーム部材２６が下降終端位置Ｐ（没入許容位置Ｎ）に下降して没入阻止機能を失ってしまうという不具合な問題が発生することはなくなり、不慮の扉開き防止に備えられる。
【００２３】
緊急時に扉６を無理やりに開けることができるように、ロックアーム部材２６は合成樹脂材等で曲がり変形可能に形成するか、またはロックアーム部材２６に脆弱部２６ａを形成する。ロックアーム部材２６は合成樹脂材等で曲がり変形可能に形成するとともに、脆弱部２６ａをも形成するもよい。
【００２４】
ロックアーム部材２６は、図２に示すように、ストッパー作用部２４が没入阻止位置Ｍに位置する常態時において操作部２５が他物と接触して不用意に変動することのないように該操作部２５を剥離可能なシール２８で覆っておく。
【００２５】
次に、上記構成の扉用ラッチ装置１の作動について図７、図８を参照して説明する。
【００２６】
図７、図８に示すように、平常時にはラッチ９はラッチ出没孔１１より突出して格納箱本体３の開口枠４側の受け座１０の凹部１０ａに係合し、これによって扉６は開口枠４に対して閉じ状態に保持されている。この閉じ状態では、ロックアーム部材２６はストッパー作用部２４をラッチ９の他方の斜面板１５の抜止め兼用軸部１９の後方に近接ないし当接する没入阻止位置Ｍに位置させてあるので、ラッチ９は一方の斜面板１４の抜止め兼用軸部１８，１８を回動中心軸にして回動することができず、従ってラッチ出没孔１１に没入できず、振動や風により扉６が不測に開くのを防止できる。
【００２７】
この閉扉状態において、扉６を開けるには、シール２８を貼っている場合はそのシール２８を剥がし、操作部２５を指先で持ってロックアーム部材２６を縦溝２７ａに沿って上昇移動させることによりストッパー作用部２４を没入阻止位置Ｍより離反させて没入許容位置Ｎにまで変位させる。しかる後、取手７を持って扉６を図８に示す矢印Ｄ方向に引くと、ラッチ９の一方の斜面板１４が受け座１０側に当接し、扉６の引込み力の分力でラッチ９が一方の斜面板１４の抜止め兼用軸部１８，１８を回動中心軸にして図８中、Ｆ方向に回動することによりラッチ出没孔１１に没入し、扉６を開けることができる。
【００２８】
火事発生の緊急時には、そのように操作部２５を指先で持ってロックアーム部材２６を縦溝２７ａに沿って上昇移動させたうえで開扉していては間に合わないことがある。こうした場合は、ロックアーム部材２６がストッパー作用部２４をラッチ９の他方の斜面板１５の抜止め兼用軸部１９の後方に近接ないし当接する没入阻止位置Ｍに位置させてあるときも、扉６を無理やりに開けられることが要求される。このような場合に備えて上記ロックアーム部材２６は合成樹脂材等で曲がり変形可能に形成しているので、扉６を開方向に無理やりに強く引くとラッチ９は受け座１０との当接作用およびロックアーム部材２６の曲がり変形を介して強制的に没入させて開扉することができる。また、ロックアーム部材２６に脆弱部２６ａを形成してあると、扉６を開方向に無理やりに強く引くとラッチ９は受け座１０との当接作用およびロックアーム部材２６の脆弱部２６ａの破損を介してより確実に強制的に没入させることができて開扉することができる。ロックアーム部材２６は合成樹脂材等で曲がり変形可能に形成するとともに脆弱部２６ａを形成していても同様のことが言える。
【００２９】
このように扉６が無理やりに開けられることによりロックアーム部材２６が変形または破損した場合には、ロックアーム部材２６は固定台２７の縦溝２７ａにスライド自在に該固定台２７に一体的に組み込み、該固定台２７を扉６に脱着可能に取り付けているので、ロックアーム部材２６と固定台２７を取り替えるだけで足り、扉６全体を取り替えるに比べて経済的である。
【００３０】
開き状態にある扉６を図８に示す矢印Ｅ方向に押し込むと、ラッチ９の他方の斜面板１５が受け座１０側に当接し、扉６の押込み力の分力でラッチ９が、一旦、他方の斜面板１５の抜止め兼用軸部１９，１９を回動中心にして前記回動方向と反対方向（図８中、Ｇ方向）に回動することによりラッチ出没孔１１に没入し、引き続き受け座１０の凹部１０ａに合致すると同時にラッチ出没孔１１から突出して受け座１０の凹部１０ａに係合する。これにより閉扉状態となる。この閉扉後、操作部２５を指先で持ってロックアーム部材２６を縦溝２７ａに沿って下降終端位置Ｐにまで下降移動させてストッパー作用部２４を没入阻止位置Ｍにまで変位させる。すると、前述のように、ラッチ９が一方の斜面板１４の抜止め兼用軸部１８，１８を回動中心軸にして回動するのを阻止でき、ラッチ出没孔１１に没入するのを阻止できるため、扉６の不慮の開きを防止できる。
【００３１】
なお、ラッチ９のラッチ出没孔１１への出没に際し、ラッチ９の両端面板１６，１７の各後端には、該ラッチ９の突出状態でフロント８のラッチ出没孔１１より後方へ突出する長さにまで延びる延長端面板１６ａ，１７ａを設けているので、ラッチ９は延長端面板１６ａ，１７ａの案内作用の下でラッチ出没孔１１に対し安定確実に出没することができる。したがって、たとえ、ラッチ９が没入動作時に一方の端面板１６側又は他方の端面板１７側に偏って強く押されるような事態が生じても、一方の端面板１６又は他方の端面板１７がフロント８の前面８ａ上につかえるようなことはなく、ラッチ９は延長端面板１６ａ，１７ａの案内作用の下でラッチ出没孔１１に円滑かつ確実に没入し、扉６を開けることができる。
【００３２】
上記実施例では、ロック機構Ｌを備えるものの、そのロックアーム部材２６はストッパー作用部２４をラッチ９の他方の斜面板１５の抜止め兼用軸部１９の後方に近接ないし当接する没入阻止位置Ｍと、該没入阻止位置Ｍより離反する没入許容位置Ｎとにわたって変位できるように取り付けてある。したがって、扉６が開き状態にあり、このときロックアーム部材２６のストッパー作用部２４がラッチ９の他方の斜面板１５の抜止め兼用軸部１９の後方に近接ないし当接する没入阻止位置Ｍにあっても、扉６を閉める図８に示す矢印Ｅ方向に押し込むことでラッチ９は他方の斜面板１５の抜止め兼用軸部１９，１９を回動中心にして図８中、Ｇ方向に回動しラッチ出没孔１１に没入することが可能になり、扉６を閉めることができるという利点がある。しかしながら、そのような必要がない場合は、ロックアーム部材２６はストッパー作用部２４を、ラッチ９の他方の斜面板１５の抜止め兼用軸部１９の後方以外の箇所、例えば、両斜面板１４，１５の抜止め兼用軸部１８，１９双方の後方箇所や、ばね支軸２１の後方箇所などに近接ないし当接する没入阻止位置と、該没入阻止位置より離反する没入許容位置とにわたって変位できるように取り付けるものであってもよい。
【００３３】
上記実施例のように、ロックアーム部材２６のストッパー作用部２４を没入阻止位置Ｍと没入許容位置Ｎとにわたって変位させるにあたって、該ロックアーム部材２６を下降終端位置Ｐと上昇終端位置Ｑとの間で上下方向に昇降動させるようにすることが既述の通り振動や風圧等によるロックアーム部材２６の不用意な動きを防止し得るうえで好ましいが、これに代えて、ロックアーム部材２６を左右横方向にスライド移動させること、あるいはロックアーム部材２６を回転させるようにすることもできる。
【００３４】
本発明は上記扉用ラッチ装置１を消火器格納箱２の扉６に備え付けて使用することがきわめて有用であるが、その他の各種の扉に備えて使用することもできる。
【図面の簡単な説明】
【００３５】
【図１】本発明の一実施例の扉用ラッチ装置を取り付けた消火器格納箱の正面図である。
【図２】同扉用ラッチ装置を取り付けた扉の一部拡大正面図である。
【図３】同扉用ラッチ装置の正面図である。
【図４】同扉用ラッチ装置の背面図である。
【図５】同扉用ラッチ装置の側面図である。
【図６】同扉ラッチ装置のラッチの斜面図である。
【図７】図３におけるＡ−Ａ線断面図である。
【図８】図２におけるＢ−Ｂ線断面図である。
【図９】従来例の扉用ラッチ装置を取り付けた消火器格納箱の正面図である。
【図１０】従来例のラッチ装置の平面図である。
【図１１】図１０のラッチ装置の正面図である。
【図１２】図１０のラッチ装置の側面図である。
【図１３】図１０のラッチ装置の背面図である。
【図１４】図１１におけるB―B線断面図である。
【図１５】図１０のラッチ装置のラッチの斜面図である。
【符号の説明】
【００３６】
１  扉用ラッチ装置
２  消火器格納箱
３  格納箱本体
４  開口枠
６  扉
８  フロント
９  ラッチ
１０  受け座
１１  ラッチ出没孔
１２，１３  ばね受
１４，１５  斜面板
１６，１７  端面板
１８，１９  抜止め兼用軸部
２０  ねじりコイルばね
２０ａ  円筒形部
２０ｂ，２０ｃ  腕
２１  ばね支軸
Ｌ  ロック機構
２４  ストッパー作用部
２５  操作部
２６  ロックアーム部材
２６ａ  脆弱部
２７固定台
２７ａ  縦溝
２８  シール
【図１】
2008008061.tif 000003
【図２】
2008008061.tif 000004
【図３】
2008008061.tif 000005
【図４】
2008008061.tif 000006
【図５】
2008008061.tif 000007
【図６】
2008008061.tif 000008
【図７】
2008008061.tif 000009
【図８】
2008008061.tif 000010
【図９】
2008008061.tif 000011
【図１０】
2008008061.tif 000012
【図１１】
2008008061.tif 000013
【図１２】
2008008061.tif 000014
【図１３】
2008008061.tif 000015
【図１４】
2008008061.tif 000016
【図１５】
2008008061.tif 000017